(57)【要約】【課題】  複数枚で１組となる転写紙に印刷をするとき、印刷処理ミスやジャム等の発生によるページ抜けに気が付くことができる画像形成システムを提供すること。【解決手段】  複数の給紙トレイ２０ａ、２０ｂの各々に任意に用紙をセット可能な画像形成装置１００と、画像形成装置１００に接続され、画像形成装置１００の状態を取得するとともに画像形成装置１００にデータの印刷を指示する端末装置２００からなる画像形成システム３００において、画像形成装置１００は、複数枚で１組となる転写紙を載置する給紙トレイ２０ａ、２０ｂを備え、端末装置２００は、給紙トレイ２０ａ、２０ｂに載置された複数枚で１組となる転写紙の１組の枚数を設定するキーボードと、設定された転写紙の１組の枚数を表示するモニタ２２０とを有する。【選択図】  図３
2005235109.tif 000002
【特許請求の範囲】
【請求項１】
複数の給紙トレイの各々に任意に用紙をセット可能な画像形成装置と、前記画像形成装置に接続され、前記画像形成装置の状態を取得するとともに前記画像形成装置にデータの印刷を指示する端末装置からなるプリントシステムにおいて、
前記画像形成装置は、
複数枚で１組となる転写紙を載置する給紙トレイを備え、
前記端末装置は、前記給紙トレイに載置された複数枚で１組となる転写紙の１組の枚数を設定する組数設定手段と、
前記設定手段で設定された転写紙の１組の枚数を表示する表示手段とを備えたことを特徴とする画像形成システム。
【請求項２】
前記端末装置は、
前記画像形成装置のいずれの給紙トレイから印刷をするかを設定する給紙トレイ設定手段を備え、
前記給紙トレイ設定手段で、前記複数枚で１組となる転写紙を載置する給紙トレイが選択された場合にのみ、前記組数設定手段に前記転写紙の１組の枚数の設定を許可するとともに、前記表示手段に前記設定手段で設定される転写紙の１組の枚数を表示させることを特徴とする画像形成システム。
【発明の詳細な説明】
【技術分野】
【０００１】
本発明は、帳票用紙等のように複数枚の用紙が１組になった転写紙を印刷する画像形成システムに関する。
【背景技術】
【０００２】
従来、この種の画像形成システムでは、帳票等のように複数の転写紙に特定のフォーマットを予め印刷したものを一組にした転写紙に印刷を行うものが知られている（例えば、特許文献１参照）。
【特許文献１】特開平１０−１２４２７７号公報
【発明の開示】
【発明が解決しようとする課題】
【０００３】
しかしながら、従来の画像形成システムでは、帳票類は複数枚で１組として扱われるので、１組の帳票が何枚の転写紙からなるかを常に把握していないと、印刷処理やジャム等が発生したときにページ抜けに気が付くことができないという問題があった。
【０００４】
本発明は、このような問題を解決するためになされたもので、複数枚で１組となる転写紙に印刷をするときに、印刷処理やジャム等の発生によるページ抜けに気が付くことができる画像形成システムを提供することを目的とする。
【課題を解決するための手段】
【０００５】
本発明の画像形成システムは、複数の給紙トレイの各々に任意に用紙をセット可能な画像形成装置と、前記画像形成装置に接続され、前記画像形成装置の状態を取得するとともに前記画像形成装置にデータの印刷を指示する端末装置からなるプリントシステムにおいて、前記画像形成装置は、複数枚で１組となる転写紙を載置する給紙トレイを備え、前記端末装置は、前記給紙トレイに載置された複数枚で１組となる転写紙の１組の枚数を設定する組数設定手段と、前記設定手段で設定された転写紙の１組の枚数を表示する表示手段とを備えたことを特徴としている。
【０００６】
この構成により、複数枚で１組となる転写紙に印刷をするときに、複数枚で１組となる転写紙の１組の枚数が表示され、印刷処理やジャム等の発生によるページ抜けに気が付くことができる。
【０００７】
また、本発明の画像形成システムは、前記端末装置は、前記画像形成装置のいずれの給紙トレイから印刷をするかを設定する給紙トレイ設定手段を備え、前記給紙トレイ設定手段で、前記複数枚で１組となる転写紙を載置する給紙トレイが選択された場合にのみ、前記組数設定手段に前記転写紙の１組の枚数の設定を許可するとともに、前記表示手段に前記設定手段で設定される転写紙の１組の枚数を表示させることを特徴としている。
【０００８】
この構成により、帳票用紙のように前記複数枚で１組となる転写紙に印刷をするときのみ、その転写紙の１組の枚数（組数）が表示されるので、必要な項目のみが表示され判読性と操作性が向上し、より一層ページ抜けに気が付くことができる。
【発明の効果】
【０００９】
本発明によれば、複数枚で１組となる転写紙に印刷をするときに、印刷処理やジャム等の発生によるページ抜けに気が付くことができる。
【発明を実施するための最良の形態】
【００１０】
以下、本発明の実施の形態の画像形成システムについて図面を用いて説明する。
【００１１】
図１は、一実施の形態の画像形成システムの構成図を示す。本実施形態において画像形成システム３００は、画像形成装置１００と端末装置２００とから構成され、画像形成装置１００は、コピー機能、プリンタ機能、スキャナー機能、ＦＡＸ機能を備えたいわゆる複合機と称されるものであり、パーソナルコンピュータ等の端末装置２００から送信される画像情報をネットワーク接続手段４３によって受け取って印刷するものである。
【００１２】
図１に示すように、画像形成システム３００は画像形成装置１００と、この画像形成装置１００にネットワークを介して接続された端末装置２００とから構成される。
【００１３】
画像形成装置１００は、ＣＰＵ３１と、ＲＯＭ３２と、ＲＡＭ３３と、書込み制御部３４と、書込み部３５と、操作表示部３６と、搬送制御部３７と、原稿読取り部３８と、画像処理部３９と、画像編集部４０と、画像メモリ４１と、ＮＶＲＡＭ４２と、ネットワーク接続手段４３とを含んで構成される。また、これらはシステムバス３０により接続されている。
【００１４】
ＣＰＵ３１は、画像形成装置１００全体の制御を行うものである。具体的には、ネットワーク接続手段４３を介して端末装置２００から受信した印刷データ及び制御情報に基づいて画像形成装置１００に印刷動作を行わせるようになっている。また、ＣＰＵ３１は、画像形成装置１００がコピー動作をする際には、操作表示部３６から入力された各種の設定（本実施形態では「コピーモード」ともいう）すなわち原稿サイズ、転写紙サイズ、編集、集約、両面又は片面の別、コピー濃度、ソート等の設定に基づいて、図示しないスタートボタンが押されたことを検知して、原稿の読取り、画像処理、画像蓄積、画像編集、書込み制御、転写紙の搬送等を制御する。
【００１５】
ＲＯＭ３２は、ＣＰＵ３１が画像形成装置１００の制御をするためのプログラム及び固定データを記憶するものである。
【００１６】
ＲＡＭ３３は、ＲＯＭ３２が記憶するプログラムをＣＰＵ３１が実行する際の作業領域である。
【００１７】
書込み制御部３４は、ＣＰＵ３１からの制御により、画像書込みをする際にレーザダイオードの出力制御等を行うものである。
【００１８】
書込み部３５は、画像書込みをする際のポリゴンミラー１２、図示しないポリゴンモータ、及び感光体１５の駆動制御をするものである。
【００１９】
操作表示部３６は、数値等を入力する図示しないテンキー、コピー動作等を開始するためのスタートキー等の各種キーや、画像形成装置１００の状態や動作設定を表示するタッチパネル式液晶表示装置から構成され、画像形成装置１００がコピー動作等の各種動作をする際の指示や設定（コピーモード）の入力及び表示をするものである。
【００２０】
搬送制御部３７は、転写紙２１の給紙又は搬送のための図示しない各種モータ及び各種機構部等を制御するものである。
【００２１】
原稿読取り部３８は原稿２を読取るものであり、コンタクトガラス１、原稿サイズセンサ３、露光ランプ４、第１ミラー５、第２ミラー６、第３ミラー７、レンズ８、ＣＣＤイメージセンサ９を含んで構成される。
【００２２】
画像処理部３９は、原稿読取り部３８により読取られデジタルデータに変換された画像データに対して画質向上等の画像処理をするものである。
【００２３】
画像編集部４０は、画像形成装置１００がコピー動作をする際に、画像データに対して変倍、集約、リピート等の画像編集を実行するものである。
【００２４】
画像メモリ４１は、原稿読取り部３８が読取った画像データを一時的に格納するためのものである。
【００２５】
ＮＶＲＡＭ４２は、不揮発性のメモリであり、画像形成装置１００に固有のプロセス条件のデータを記憶するものである。
【００２６】
また、端末装置２００はネットワークに接続機能を備えたパーソナルコンピュータ等から構成されており、入力手段してのキーボード２１０と、表示手段としてのモニタ２２０を備えている。端末装置２００には画像形成装置１００に印字動作を行わせるためのプリンタドライバが導入されている。モニタ２２０には、端末装置２００で印字操作をする際に、図３に示すようなプリンタドライバ画面２５０が表示され、設定値の確認及び変更ができるようになっている。プリンタドライバ画面２５０には、印刷方法２５１、カラー／白黒２５２、原稿サイズ２５３、原稿方向２５４、トレイ２５５、種類２５６、印刷枚数２５７の項目が設けられている。ここで、印刷方法２５１は、通常印刷かドラフト印刷かを表示又は設定するものである。カラー／白黒２５２は、印刷をカラー又は白黒のいずれで行うかを表示又は設定するものである。原稿サイズ２５３は原稿のサイズを表示又は設定するものである。原稿方向２５４は原稿の方法が縦か横かを表示又は設定するものである。トレイ２５５は複数のトレイのうちどのトレイの転写紙に印刷をするかを表示又は設定するものである。種類２５６は、転写紙の種類（例えば、帳票、連続紙、特殊紙）を表示又は設定するものである。図では、種類として帳票が選択され、帳票の組数が４であることを示しており、この帳票が４枚で１組のものであることが判るようになっている。なお、種類２５６とトレイ２５５の表示は互いに連動しており、トレイ２５５の欄で選択したトレイの番号に応じて種類２５６の欄の表示が決定されたり、逆に種類２５６の欄で選択した転写紙の種類に応じてトレイ２５５の欄の表示が決定されるようになっている。印刷枚数２５７は印刷枚数（部数）を表示又は設定する他、帳票等の場合に何枚の転写紙で１組になっているか（組数）を表示又は設定するものである。図では、種類２５６と同様に組数が４であることを示している。
【００２７】
また、図２に示すように、画像形成装置１００は、コンタクトガラス１、原稿サイズセンサ３、露光ランプ４、第１ミラー５、第２ミラー６、第３ミラー７、レンズ８、ＣＣＤイメージセンサ９を備えており、これらによって原稿２を読取るようになっている。
【００２８】
また、画像形成装置１００は、レーザダイオード１０、シリンダレンズ１１、ポリゴンミラー１２、レンズ１３、書込みミラー１４、感光体１５を備えており、読取った原稿２の画像データは感光体１５上に静電潜像として形成されるようになっている。
【００２９】
また、画像形成装置１００は、帯電装置１６、現像装置１７、転写ベルト１８、クリーニング装置１９、給紙トレイ２０ａ、２０ｂ、転写紙２１、レジストローラ２２、定着装置２３、排紙センサ２４を備えている。
【００３０】
画像形成装置１００において、コンタクトガラス１上に置かれた原稿２は、原稿サイズセンサ３によりその有無とサイズが検知される。また、図示しないコピースタートキーが押下されると、露光ランプ４が原稿２を露光し、原稿２からの反射光は第１ミラー５、第２ミラー６、第３ミラー７に反射され、レンズ８に屈折されてＣＣＤイメージセンサ９で読取られた後、電気信号に変換され、図２に示す画像処理部３９で画像処理される。なお、画像形成装置１００の上方すなわちコンタクトガラス１の上部に自動原稿給紙装置を設けて、この自動原稿給紙装置に複数の原稿２を積載し、コンタクトガラス１上に１枚づつ給紙するようにしてもよいことは言うまでもない。
【００３１】
次いで、画像処理されたデータに基づいてレーザダイオード１０が制御され、レーザダイオード１０から発射されたレーザ光はシリンダレンズ１１、高速で定速回転するポリゴンミラー１２、レンズ１３、書込みミラー１４等を介して感光体１５に照射され、感光体１５上に画像（静電潜像）が書き込まれる。
【００３２】
感光体１５の周辺には、帯電装置１６、現像装置１７、転写ベルト１８、クリーニング装置１９が設けられている。感光体１５は、クリーニング装置１９によりクリーニングされた後、帯電装置１６により所定の高電位に均一に帯電される。帯電された感光体１５に前述のレーザ光が照射されると、感光体１５上の表面電位は照射された光強度に応じて変化し、静電潜像が形成される。この静電潜像に現像装置１７によってトナーが吸着されることで可視化されたトナー画像となる。
【００３３】
一方、給紙トレイ２０ａ又は給紙トレイ２０ｂに積載された転写紙２１が１枚づつ給紙され、レジストローラ２２が転写紙２１を感光体１５上のトナー画像と重なるように送り込む。更に、転写紙２１は、高電位をかけられた転写ベルト１８により搬送され、転写ベルト１８と感光体１５との接触部でトナー画像が転写紙２１に転写される。
【００３４】
給紙トレイ２０ａ、２０ｂには、同一の転写紙又はサイズや種類が異なる転写紙を載置することができるようになっており、給紙トレイ２０ｂに通常の転写紙を載置し、給紙トレイ２０ｂには帳票用紙を載置しておいて、印刷の際に給紙トレイ２０ａ又は給紙トレイ２０ｂのどちらを用いるかを図３に示すプリンタドライバ画面で選択することができるようになっている。また、給紙トレイ２０ａ、２０ｂに載置した転写紙のサイズや種類は操作表示部３６からの入力操作によって予め設定をしておいて、端末装置２００に導入したプリントドライバによってこの情報を取得することができるようになっている。また、画像形成装置１００の側ではなく、端末装置２００のプリントドライバ側で給紙トレイ２０ａ、２０ｂに載置した転写紙のサイズや種類を設定したり、設定を変更するようにすることもできる。
【００３５】
トナー画像が転写された転写紙２１は更に転写ベルト１８で搬送され、ハロゲンヒータにより温められた定着装置２３に送り込まれトナー画像の定着が行われる。定着が終了した転写紙２１は、排紙センサ２４により画像形成装置１００外部に排紙されたことが検知される。
【００３６】
次に、図３を参照して画像形成システム３００の動作について説明する。
【００３７】
先ず、端末装置２００において、キーボード２１０によって印刷の指示が入力されると、モニタ２２０には図３に示すプリンタドライバ画面が表示され、利用者に印刷の設定値の確認及び必要に応じて設定値の変更を行わせる。トレイ２５５の欄でトレイ３が選択されると、種類２５６の欄にはトレイ３に対応する転写紙の種類である「帳票」及び帳票の「組数」が表示される。また、この組数は印刷枚数２５７の欄にも表示される。なお、トレイ２５５の項目で例えばトレイ２が選択され、トレイ２に対応する転写紙の種類が帳票用紙ではない通常の転写紙であると設定されていたとき、種類２５６の欄には「通常転写紙」等と表示されるが組数は表示されず組数の設定も不可の状態となる。
【００３８】
このように本実施形態では、転写紙の組数がプリンタドライバ画面２５０に表示されるようになっている。このため、帳票用紙等のように複数枚で１組となる転写紙に帳票のデータを印刷するとき、印刷前にプリンタドライバ画面２５０で確認した組数と、実際に印刷された印刷物の枚数とを比較することによって、印刷処理ミスやジャム等の発生によるページ抜けに気が付くことができる。
【００３９】
また、トレイ２５５と種類２５６の一方の欄を選択すると、他方の欄が自動的に選択されるようになっているので、設定が簡単に行うことができ、また設定ミスを防止することができる。
【００４０】
また、種類２５６の欄で帳票が選択されたときにのみ、組数が表示されるとともにその設定が可能となっているので、プリンタドライバ画面２５０が見易いものになり判読性が向上し、組数の項目に一層注目を集めることができるので、印刷処理ミスやジャム等の発生によるページ抜けに気が付くことができる。
【産業上の利用可能性】
【００４１】
以上のように、本発明に係る画像形成システムは、複数枚で１組となる転写紙に印刷をするとき、印刷処理ミスやジャム等の発生によるページ抜けに気が付くことができるという効果を有し、帳票用紙等のように複数枚の用紙が１組になった転写紙を印刷する画像形成システムとして有用である。
【図面の簡単な説明】
【００４２】
【図１】本発明の一実施の形態に係る画像形成システムの構成図
【図２】一実施の形態の画像形成システムの概略構成図
【図３】一実施の形態の端末装置におけるモニタのプリンタドライバ画面
【符号の説明】
【００４３】
１  コンタクトガラス
２  原稿
３  原稿サイズセンサ
４  露光ランプ
５  第１ミラー
６  第２ミラー
７  第３ミラー
８  レンズ
９  ＣＣＤイメージセンサ
１０  レーザダイオード
１１  シリンダレンズ
１２  ポリゴンミラー
１３  レンズ
１４  書込みミラー
１５  感光体
１６  帯電装置
１７  現像装置
１８  転写ベルト
１９  クリーニング装置
２０ａ、２０ｂ  給紙トレイ
２１  転写紙
２２  レジストローラ
２３  定着装置
２４  排紙センサ
３１  ＣＰＵ
３２  ＲＯＭ
３３  ＲＡＭ
３４  書込み制御部
３５  書込み部
３６  操作表示部
３７  搬送制御部
３８  原稿読取り部
３９  画像処理部
４０  画像編集部
４１  画像メモリ
４２  ＮＶＲＡＭ
４３  ネットワーク接続手段
１００  画像形成装置
２００  端末装置
２１０  キーボード（組数設定手段、給紙トレイ設定手段）
２２０  モニタ（表示手段）
３００  画像形成システム
【図１】
2005235109.tif 000003
【図２】
2005235109.tif 000004
【図３】
2005235109.tif 000005